(57)【要約】【課題】  身体的障害を持つユーザが使いやすい制御パネルの提供。【解決手段】  記憶媒体プログラミングデバイス１１０と関連付けられたコンピュータ１００、記憶媒体１２０、及びユーザ制御デバイス１４０と関連付けられた記憶媒体読取デバイス１３０を含むユーザ制御デバイス制御システム及び方法。ユーザはターゲットユーザ制御デバイス１４０と関連付けられた記憶媒体読取デバイス１３０に、プログラムされた記憶媒体１２０を供給する。記憶媒体読取デバイス１３０はプログラムされた記憶媒体１２０上に記憶されたデータを読み出しもしくは受け取り、この記憶されたデータを用いてターゲットユーザ制御デバイス１４０が所望の機能や設定を実行する。【選択図】  図１
2004259278.tif 000002
【特許請求の範囲】
【請求項１】
ターゲットユーザ制御デバイスを制御する方法であって、前記方法は、
プログラムされた記憶媒体を作成するため、記憶媒体プログラミングデバイスを利用して記憶媒体に制御データを含むデータを記憶させるステップと、
前記プログラムされた記憶媒体に記憶された前記データを受け取るステップと、
前記受け取ったデータをターゲットユーザ制御デバイスに供給するステップと、
前記プログラムされた記憶媒体から受け取った前記制御データに基づいて前記ターゲットユーザ制御デバイスを自動制御するステップと、
を含み、
前記制御データは、前記ターゲットユーザ制御デバイスの設定、及び前記ターゲットユーザ制御デバイスに少なくとも１つの機能を実行させるコマンドのうち少なくとも１つを含む、
ターゲットユーザ制御デバイスを制御する方法。
【請求項２】
ユーザ制御デバイスであって、
前記ユーザ制御デバイスの設定、及び前記ユーザ制御デバイスによって実行可能な機能のうち少なくとも１つを選択するためにユーザが操作できる制御パネルと、
前記ユーザ制御デバイスと関連付けられ、記憶媒体に記憶されたデータを受け取り、前記データを前記ユーザ制御デバイスに供給する記憶媒体読取デバイスと、
を含み、
前記データは、前記ユーザ制御デバイスの設定及び前記ユーザ制御デバイスに前記機能を実行させるコマンドのうち少なくとも１つを含む制御データを含む、
ユーザ制御デバイス。
【請求項３】
ユーザ制御デバイスを制御するシステムであって、前記システムは、
少なくとも制御データを記憶媒体にプログラムするのに使用できる記憶媒体プログラミングデバイスと、
前記ユーザ制御デバイスと関連付けられ、前記記憶媒体プログラミングデバイスによりプログラムされた記憶媒体から制御データを読み出すのに使用できる記憶媒体読取デバイスと、
を含み、
前記制御データは、前記ユーザ制御デバイスの設定及び機能のうち少なくとも１つを含む、
ユーザ制御デバイスを制御するシステム。
【発明の詳細な説明】
【技術分野】
【０００１】
本発明は、記憶媒体に記憶させたデータを用いて、画像形成デバイス等のユーザ制御デバイスを制御するシステム及び方法に関する。
【背景技術】
【０００２】
画像形成デバイス等のユーザ制御デバイスには、ユーザが所望のコマンドや設定の入力操作を行うための各種ボタンやタッチ式液晶ディスプレイを備えた制御パネルが設けられている。ユーザは制御パネルを通して所望の設定の入力や各種機能の要求を行う。通常、ユーザはボタンを押したり、タッチスクリーンの一部や表示項目に触れたりすることで、制御パネルで制御可能な設定や機能を選択する。
【０００３】
ユーザ制御が可能な機能や設定の増加に伴い、制御パネルは複雑化している。制御パネルを通してユーザが利用できる設定や機能が増えている一方、制御パネルのサイズはほとんど変わっておらず、多くの場合デバイスのコンパクト化の目的で小さくなっている。
【０００４】
このため、ユーザが制御パネルやディスプレイ、特に機能を高めた小さい制御パネルやディスプレイを操作する際、制御パネルやディスプレイを読み取ったり、所望の設定や機能の入力の仕方を理解したり、所望の設定・コマンド・機能を物理的に入力したりする上で困難が生じ得る。また、ユーザ制御デバイス上の制御パネルやディスプレイの位置によっては、制御パネルやディスプレイの使用・視認が難しい場合がある。
【０００５】
身体的障害を持つユーザにとっては困難の度合いが増し、実際、ユーザ制御デバイスの制御パネル上で所望の設定・機能を選択できないことがあり得る。身体的障害を持つユーザが制御パネルを使用しやすくするため、制御パネルに特殊な構成要素を設けることは可能である。しかし、多様な身体的障害を持つユーザが存在するため、制御パネルに各種機能を組み込んだり、種々の身体的障害を持つ少なくとも相当数のユーザが制御パネルを使用できる位置に制御パネルを配置したりすることはコスト、技術、スペースの各面で困難である。
【０００６】
例えば車椅子を使用するユーザは、容易に制御パネルを使用できないことが多い。通常、コピー機等の制御パネルは本体上面に設けられている。職場で使用される多くのコピー機は、サイズも大き目である。従って、職場で使用される大部分のコピー機の制御パネルは、車椅子を使用するユーザの目線よりも高い位置に設けられている。このため、車椅子を使用するユーザは制御パネルの読み取りや操作ができない場合がある。
【０００７】
他の障害を持つユーザにとっては、ユーザ制御デバイスを使いにくいものとしている要因は制御パネルの高さや位置のみとは限らない。障害を持つユーザの多くが、コンピュータの操作を可能とする特殊なユーザインタフェースエイドを備えたコンピュータを使用している。各ユーザ制御デバイスにこのようなユーザインタフェースエイドを設けることは可能であるが、コスト、スペース両面で問題がある。
【発明の開示】
【発明が解決しようとする課題】
【０００８】
アメリカ障害者法(Americans with Disabilities Act)への準拠の有無はユーザ制御デバイスの重要な特色である。本発明は、障害を持つユーザがユーザ制御デバイスを操作及び制御設定するための有用なシステム及び方法を提供するものである。
【０００９】
ユーザ制御デバイスとは、関連付けられた制御パネルを通してユーザが操作／制御するデバイスをいう。ユーザ制御デバイスは各種環境下で使用され、その目的は多岐にわたっている。ユーザ制御デバイスとしてコピー機、ファクシミリ機、スキャナ、プリンタ、ＰＯＳ（販売時点情報管理システム）端末装置、自動情報／トランザクション・キオスク、ステレオ、記録デバイス、テレビ、ＶＣＲ、コンピュータ等が挙げられるが、これらに限定されない。
【課題を解決するための手段】
【００１０】
本発明のシステム及び方法の諸例示的実施形態では、ユーザはオフィスや自宅で所望の機能や設定に関するデータを記憶媒体に個人的にプログラムし、プログラムした記憶媒体を所望のユーザ制御デバイス（ターゲットユーザ制御デバイス）に組み込み、この記憶媒体を利用して所望の機能や設定の実行をユーザ制御デバイスに指示することができる。諸例示的実施形態では、ユーザはターゲットデバイスを操作／制御するため、プログラムされた記憶媒体を、例えばスキャナ等の記憶媒体読取デバイスに挿入することにより、ターゲットデバイスに供給する。別の諸例示的実施形態では、ユーザは、記憶媒体にプログラムされたデータを走査し／読み取り／受け取る記憶媒体読取デバイスの読取可能範囲内に記憶媒体を移動することにより、プログラムされた記憶媒体をターゲットデバイスに供給し得る。別の諸例示的実施形態では、コンピュータディスクをディスクドライブに挿入するのと同様に、ユーザは記憶媒体読取デバイスの入力部に記憶媒体を挿入することにより、プログラムされた記憶媒体をターゲットデバイスに供給し得る。しかし、ユーザがプログラムやデータ／ファイルをコンピュータディスクに記憶させ、後にこのディスクを挿入してデータ／ファイルにアクセスしたりプログラムを実行したりするプロセスとは対照的に、ユーザはファイル／プログラムを開くためにユーザインタフェースを操作し、そのデータを利用したりプログラムを実行したりする必要はなく、必要なのはプログラムされた記憶媒体を記憶媒体読取デバイスに供給することだけである。ターゲットデバイスは、プログラムされた記憶媒体に記憶されたデータを自動的に読み出し／走査し／処理し、プログラムされた設定／機能を開始する。
【００１１】
本発明のシステム及び方法の諸例示的実施形態では、プログラムされた記憶媒体をターゲットデバイスに供給することにより、ターゲットデバイスは該記憶媒体にプログラムされたデータの読み出し／受け取りを行い、ターゲットデバイスは自動的に所望の設定やコマンドを調整／開始する。このときユーザは別途、介入しなくてよい。よって、ユーザはターゲットデバイス上の制御パネルを操作せずにターゲットデバイスを制御できる。
【００１２】
但し、諸例示的実施形態では、場合によってユーザは所望の機能を実行するためのデータをユーザ制御デバイスに供給する必要が生ずることもある。例えば、所望の機能がドキュメントのコピーである場合、コピー機がこの機能すなわちコピーを実行できるよう、ユーザはオリジナルドキュメントをコピー機に供給することが必要となろう。
【００１３】
従って、本発明のシステム及び方法の諸例示的実施形態では、プログラムされた記憶媒体と、必要に応じて所望の機能の実行に不可欠なデータとをいったんユーザ制御デバイスに供給してしまえば、ユーザの役目はそこまでである。例えば、ユーザがレターを複数の相手にファクシミリで送信する場合、本発明の諸システム及び方法に従い、ユーザはドキュメントをファクシミリで送信するためのコマンドと、相手のファクシミリ番号とを記憶媒体にプログラムし得る。次いでこのプログラムされた記憶媒体を、送信すべきレターと共にファクシミリ機に供給し得る。
【００１４】
本発明の諸例示的実施形態では、ユーザはレター自体を記憶媒体に記憶させてもよい。この場合、ユーザはプログラムされた記憶媒体をファクシミリ機に供給するだけでよい。
【００１５】
プログラムされた記憶媒体がターゲットデバイスに供給される際、ユーザは制御パネルを使用して追加コマンドや設定を入力してもよい。また制御パネルを使用できないようにしてもよい。
【００１６】
本発明に従ったシステム及び方法の諸例示的実施形態において、ユーザは、ユーザ制御デバイスの制御パネルに対応する制御パネルを、例えば自らのコンピュータ上で見ることができる。そして自らのコンピュータを操作し、ユーザ制御デバイスの制御パネル上で制御可能な任意の設定や機能をプログラムできる。従って、ユーザは所望の設定や機能を入力しようと無理に制御パネルを利用せずとも、自らのコンピュータを操作して所望の機能や設定を記憶媒体上で選択し及び記憶させることができる。例えば、ユーザはコンピュータに表示される制御パネルの画像によって「操作」したり、コマンドを選択したりできる。そして、プログラムされた記憶媒体を用いて、例えば上述したようなターゲットユーザ制御デバイスを操作／制御できる。
【００１７】
本発明のシステム及び方法の諸例示的実施形態では、ユーザ制御デバイスは、記憶媒体読取デバイスを内部に組み込んでも、また外部の記憶媒体読取デバイスと関連付けられていてもよい。
【００１８】
更に、本発明の諸例示的実施形態によれば、既存のシステムやデバイスをアメリカ障害者法に準拠したものとすることができる。このとき、ユーザ制御デバイスの、障害を持つユーザの利用できる位置に追加の制御パネルを物理的に設置したり、制御パネルの位置を移動させるため或いは多様なユーザインタフェースデバイスを提供するためにユーザ制御デバイスに大規模な変更を施したりする必要はない。本発明の諸例示的実施形態では、記憶媒体読取デバイスを既存のユーザ制御デバイス上又はデバイス内部に設置することで、またユーザ制御デバイスが関連付けられる外部記憶媒体読取デバイスを設けることで、障害を持つユーザがシステム又はデバイスの既存の制御パネルを利用できるようにする。
【００１９】
本発明は、ユーザ制御デバイスに関連付けられた制御パネルを使用せずにユーザ制御デバイスを操作／制御するシステム及び方法を提供する。
【００２０】
本発明は、ユーザ制御デバイスを自動的に操作／制御するために、記憶媒体に記憶されたデータを使用するシステム及び方法を提供する。
【００２１】
本発明は、障害を持つユーザがユーザ制御デバイスを操作／制御設定するためのシステム及び方法を提供する。
【００２２】
本発明は、ターゲットユーザ制御デバイスの１つ以上の所望の機能及び／又は設定を記憶媒体にプログラミングし、ターゲットユーザ制御デバイスを自動的に制御・開始するためにプログラムされた記憶媒体をターゲットユーザ制御デバイスに供給するシステム及び方法を提供する。
【００２３】
本発明は、ターゲットユーザ制御デバイスの１つ以上の所望の機能や設定、及び所望の機能や設定を実行・適用する際に使用されるデータを記憶媒体上にプログラミングし、そしてターゲットユーザ制御デバイスを自動的に制御・開始するために、プログラムされた記憶媒体をターゲットユーザ制御デバイスに供給するシステム及び方法を提供する。
【００２４】
本発明は、ユーザ制御デバイスと関連付けられた制御パネルの画像を表示するコンピュータを利用して、ターゲットユーザ制御デバイスの１つ以上の所望の機能や設定を記憶媒体上にプログラミングするシステム及び方法を提供する。
【００２５】
本発明は、選択された設定や機能を記憶した記憶媒体が、ユーザ制御デバイスに関連付けられた記憶媒体読取デバイスに供給される際、該ユーザ制御デバイスの設定や機能を自動的に開始・実行するシステム及び方法を提供する。
【００２６】
本発明は、ユーザ制御デバイスの制御パネルを模した（シミュレートした）グラフィカルユーザインタフェースを具備するパーソナルコンピュータを提供する。
【００２７】
本発明は、ユーザ制御デバイスを自動制御するために、プログラムされた記憶媒体を使用するシステム及び方法を提供する。
【００２８】
本発明は、遠隔ユーザ制御デバイスを自動制御するために、プログラムされた可搬型記憶媒体を使用するシステム及び方法を提供する。
【００２９】
本発明は、記憶媒体読取デバイスがユーザ制御デバイスと別体で設けられているとしても、多様な障害を持つユーザがユーザ制御デバイスを使用できるようにするための各種ユーザインタフェースエイドを備えたシステムに比べて省スペースなシステム及び方法を提供する。
【００３０】
本発明は、障害を持つユーザが使用できるようにし、またアメリカ障害者法に準拠させる目的で、車椅子を使用するユーザが利用できるようデバイスの前面もしくは低い位置に制御パネルを設ける必要をなくすためのシステム及び方法を提供する。
【００３１】
本発明は、プログラムされた記憶媒体を作成するため、記憶媒体プログラミングデバイスを利用して記憶媒体に制御データを含むデータを記憶させ、プログラムされた記憶媒体に記憶されたデータを受け取り、受け取ったデータをターゲットユーザ制御デバイスに供給し、プログラムされた記憶媒体から受け取った制御データに基づいてターゲットユーザ制御デバイスを自動制御することにより、ターゲットユーザ制御デバイスを制御するシステム及び方法を提供する。制御データは、ターゲットユーザ制御デバイスの設定、及びターゲットユーザ制御デバイスに少なくとも１つの機能を実行させるコマンドのうち少なくとも１つを含む。
【００３２】
本発明は、ユーザ制御デバイスの設定、及びユーザ制御デバイスによって実行可能な機能のうち少なくとも１つを選択するためにユーザが操作できる制御パネルと、ユーザ制御デバイスと関連付けられ、記憶媒体に記憶されたデータを受け取り、このデータをユーザ制御デバイスに供給する記憶媒体読取デバイスと、を含むユーザ制御デバイスを提供する。上記データは、ユーザ制御デバイスの設定、及びユーザ制御デバイスに機能を実行させるコマンドのうち少なくとも１つを含む、制御データを含む。
【００３３】
本発明は、少なくとも制御データを記憶媒体にプログラムする（組み込む）のに使用できる記憶媒体プログラミングデバイスと、ユーザ制御デバイスと関連付けられ、記憶媒体プログラミングデバイスによりプログラムされた記憶媒体から制御データを読み出すのに使用できる記憶媒体読取デバイスと、を用いてユーザ制御デバイスを制御するシステム及び方法を提供する。制御データは、ユーザ制御デバイスの設定及び機能のうち少なくとも１つを含む。
【発明を実施するための最良の形態】
【００３４】
図１は、本発明のシステム及び方法に従ったユーザ制御デバイス制御システムの第一の例示的実施形態を示す。同図に、記憶媒体プログラミングデバイス１１０と関連付けられたコンピュータ１００、記憶媒体１２０、及びユーザ制御デバイス１４０と関連付けられた記憶媒体読取デバイス１３０が示されている。
【００３５】
図１に示されるように、コンピュータ１００はリンク１５０を介して記憶媒体プログラミングデバイス１１０と通信可能である。同様に、記憶媒体読取デバイス１３０はリンク１６０を介してユーザ制御デバイスと通信可能である。リンク１５０及び１６０は任意の通信構成としてよく、図示しないネットワークへの有線もしくは無線リンクとしてもよい。ネットワークはローカルエリアネットワーク、広域ネットワーク、イントラネット、インターネット、あるいは他の任意の分散型処理・記憶ネットワークとすることができる。従って、本発明のシステム及び方法の諸例示的実施形態では、記憶媒体プログラミングデバイス１１０とコンピュータ１００とを相互に遠隔に配置してもよく、また記憶媒体読取デバイス１３０とユーザ制御デバイス１４０とを相互に遠隔に配置してもよい。
【００３６】
ターゲットデバイスすなわち所望のユーザ制御デバイス１４０を操作するにあたり、ユーザはターゲットユーザ制御デバイス１４０と関連付けられた記憶媒体読取デバイス１３０に、プログラムされた記憶媒体１２０を供給する。記憶媒体読取デバイス１３０はプログラムされた記憶媒体１２０上に記憶されたデータを読み出しもしくは受け取り、この記憶されたデータを用いてターゲットユーザ制御デバイス１４０が所望の機能や設定を実行する。ターゲットユーザ制御デバイス１４０は、ユーザが制御パネル（図示せず）を物理的に操作しなくても所望の機能を実行し、所望の出力を生成する。諸例示的実施形態では、複数のユーザ制御デバイスに対し１つの記憶媒体読取デバイスを使用してもよい。
【００３７】
本発明に従ったシステム及び方法の諸例示的実施形態により、記憶媒体プログラミングデバイス１１０及びコンピュータ１００を利用する、障害を持つユーザが記憶媒体１２０をプログラムできる。コンピュータ１００は障害を持つユーザが使用できるよう特殊なユーザインタフェースエイドを備えていてもよい。プログラムされた記憶媒体１２０は、ユーザが操作しようとする画像形成デバイス等のターゲットユーザ制御デバイスと関連付けられた記憶媒体読取デバイス１３０上に置かれ、内部に組み込まれ、あるいは他の方法により記憶媒体読取デバイス１３０と関連付けられる。
【００３８】
図２に示されるように、第二の例示的実施形態では、ユーザ制御デバイス２４０の内部に記憶媒体読取デバイス２３０が組み込まれている。同様に、記憶媒体プログラミングデバイス２１０をコンピュータ２００に組み込んでもよい。本発明に従ったシステム及び方法では、ユーザがプログラムされた記憶媒体を持ち込んでユーザ制御デバイスに所望の機能を実行させる商用コピーセンター等のセントラルロケーションにユーザ制御デバイスを設置してもよい。
【００３９】
図３は、本発明に従った記憶媒体の第一の例示的実施形態を示す。同図に示されるように、記憶媒体はデータを記憶できるカード３２０としてもよい。データの記憶に使用できる磁気部３２５等のデータストリップをカード３２０に設けてもよい。カード３２０がプログラムされる場所から、ターゲットデバイスに関連付けられた記憶媒体読取デバイスへの移動をユーザが容易に行えるよう、カード３２０のサイズは例えばクレジットカード大とすることができる。
【００４０】
記憶媒体は揮発性可変メモリ、不揮発性可変メモリ、又は非可変すなわち固定メモリを適宜組み合わせて実施できる。揮発性の有無に関わらず、可変メモリはスタティックもしくはダイナミックＲＡＭ、フロッピー（登録商標）ディスク、書込み可能もしくは再書換え可能な光ディスク、フラッシュメモリ等のうち１つ以上を適宜使用して実施できる。同様に、非可変すなわち固定メモリは、ＲＯＭ、ＰＲＯＭ、ＥＰＲＯＭ、ＥＥＰＲＯＭ、ＣＤ−ＲＯＭやＤＶＤ−ＲＯＭディスク等の光学ＲＯＭディスク等のうち１つ以上を適宜使用して実施できる。
【００４１】
図４に示されるように、記憶媒体の第二の例示的実施形態は、携帯情報端末（ＰＤＡ）４２０であり、パーソナルコンピュータを介してＰＤＡ４２０にデータをプログラムできる。ＰＤＡ４２０に記憶されるデータのビーム送信(beamed)、走査及び読み出しは、ターゲットデバイスに関連付けられた記憶媒体読取デバイスによって行われる。あるいは、ＰＤＡ４２０は記憶媒体読取デバイス、又は直接ターゲットデバイスにデータを転送もしくはビーム送信することで、記憶媒体読取デバイスとしても機能し得る。
【００４２】
図５は、本発明のシステム及び方法に従った記憶媒体の第三の例示的実施形態を示す。この実施形態では、記憶媒体はデータを記憶できるデジタルもしくは携帯電話５２０である。携帯電話はますます多くの特徴や機能を備えるようになっている。例えば、携帯電話の多くは例えばＰＤＡと同様の機能をすでに備えている。このため、携帯電話５２０を上述のように記憶媒体や記憶媒体読取デバイスとして使用できる。
【００４３】
本発明に従ったシステム及び方法の諸例示的実施形態では、所望の設定や機能に関するデータを記憶媒体上でプログラムもしくは記憶できる。また、所望の機能の実行に使用されるデータを記憶媒体上でプログラムもしくは記憶できる。例えば、ユーザが報告書のコピーをある枚数作成しようとするとき、ユーザはその枚数のコピーを作成するコマンド、各コピーを綴じるコマンド、そして報告書自体を記憶媒体に記憶させ得る。例えばこの場合、ユーザは、コピー機と関連付けられた記憶媒体読取デバイスにプログラムされた記憶媒体を供給すれば、報告書をコピー機のプラテンに載せる必要はない。
【００４４】
本発明のシステム及び方法に従って様々なユーザ制御デバイスを操作できる。上述したように、ユーザ制御デバイスとは、関連付けられた制御パネルを通してユーザが操作／制御する任意のデバイスをいう。ユーザ制御デバイスは各種環境下で使用され、その目的は多岐にわたっている。ユーザ制御デバイスとしてコピー機、ファクシミリ機、スキャナ、プリンタ、ＰＯＳ（販売時点情報管理システム）端末装置、自動情報／トランザクション・キオスク、ステレオ、記録デバイス、テレビ、ＶＣＲ、コンピュータ等が挙げられるが、これらに限定されない。
【００４５】
図６は、ユーザ制御デバイスの制御パネルを模したグラフィカルユーザインタフェース６１０を備えるパーソナルコンピュータ６００の一例示的実施形態を示す。ユーザはターゲットユーザ制御デバイスの制御パネルを操作して各種設定や機能を選択するのと同様にして、パーソナルコンピュータ６００を操作して各種設定や機能を選択できる。従って、ユーザはコンピュータ６００を操作して、例えばコンピュータ６００に関連付けられた記憶媒体プログラミングデバイスを通して記憶媒体をプログラムする。
【００４６】
グラフィカルユーザインタフェース６１０は様々なユーザ制御デバイスに適用できる標準制御パネルのグラフィカル描写を表示してもよいし、様々なユーザ制御デバイスに適用できる複数の異なるグラフィカル描写を表示してもよい。例えば、標準制御パネルはあらゆるコピー機について表示され得る。コピー機の標準制御パネルには、用紙サイズ、画像の回転、画像サイズ、拡大・縮小、カラー、白黒、コントラスト、コピー枚数、片面／両面、丁合、ステープル等に関する選択が含まれる。同様に、例えば多機能デバイスの標準制御パネルには、上記選択に加え、モード選択（ファクシミリモード、スキャンモード、コピーモード、カラー写真コピーモード他）や追加の機能特有の選択（例えば、ファクシミリ、スキャン、カラー）を含めてもよい。
【００４７】
ユーザは、障害を持つユーザに便宜を供与するコンピュータ上でターゲットデバイスの制御パネルやターゲットデバイスの標準制御パネルのグラフィカル描写を操作できるので、これまで場合によって利用できなかった設定や機能を利用できる。例えば、制御パネルに表示された選択や情報を拡大して見るためにコンピュータ上で文字のフォントを拡大できる。障害を持たないユーザも、利便性を高めたり、他のユーザが詳細な指示なしにターゲットデバイスを操作できるようにしたりする目的で、プログラムされた記憶媒体を通してユーザ制御デバイスを操作できる。
【００４８】
ユーザが記憶媒体のプログラムに使用するコンピュータに、特殊なキーボード、特殊なマウス、音声認識システム、特殊な物理的配置（ユーザが使いやすいコンピュータの高さ等）といった特殊機能を持たせることが可能である。ユーザは、ユーザ制御デバイスの制御パネルを使用する代わりに、コンピュータに付加されたこれらの特殊機能を利用して所望のコマンド、機能、設定を選択できる。
【００４９】
図７は、記憶媒体を用いてユーザ制御デバイスを制御するプロセスの一例示的実施形態を示すフローチャートである。制御はステップ７００で開始され、続くステップ７１０で、ユーザはターゲットユーザ制御デバイスの所望の機能、設定及び／又はコマンドを選択するプログラムを開始する。ステップ７２０で、ユーザは所望の機能、設定及び／又はコマンドを選択する。続くステップ７３０で、選択された機能、設定及び／又はコマンドが、記憶媒体プログラミングデバイスにより記憶媒体に記憶される。制御はステップ７４０へ進み、ターゲットユーザ制御デバイスに任意の追加的情報（例えば所望のオペレーションを実行するためにユーザ制御システムが必要とするドキュメント）が供給される。続くステップ７５０で、記憶媒体読取デバイスは記憶媒体に記憶されたデータを読み出し又は受け取る。続くステップ７６０で、読み出され又は受け取られたデータは、記憶媒体に記憶されたデータに含まれる設定、機能及び／又はコマンドに従ってターゲットユーザ制御デバイスを制御する。続くステップ７７０で、プロセスは終了する。
【図面の簡単な説明】
【００５０】
【図１】本発明に従ったユーザ制御デバイス制御システムの第一の例示的実施形態のブロック図である。
【図２】本発明に従ったユーザ制御デバイス制御システムの第二の例示的実施形態のブロック図である。
【図３】本発明に従った記憶媒体の第一の例示的実施形態を示す図である。
【図４】本発明に従った記憶媒体の第二の例示的実施形態を示す図である。
【図５】本発明に従った記憶媒体の第三の例示的実施形態を示す図である。
【図６】本発明に従ったパーソナルコンピュータのグラフィカルユーザインタフェースの一例示的実施形態を示す図である。
【図７】本発明に従った画像形成デバイスを制御する方法の一例示的実施形態の概略を示すフローチャートである。
【図１】
2004259278.tif 000003
【図２】
2004259278.tif 000004
【図３】
2004259278.tif 000005
【図４】
2004259278.tif 000006
【図５】
2004259278.tif 000007
【図６】
2004259278.tif 000008
【図７】
2004259278.tif 000009